(57)【要約】【課題】専用スピーカが不要であり、安価で且つ容易にサラウンド効果のある最適な音響を得ることができる音響制御システム、音響制御装置、電子機器及び音響制御方法を提供すること。【解決手段】通信回線Ａに接続されていると共に接続したスピーカ１４、１５、２４、３４、４４から音声を単独で出力可能な複数の電子機器１０、２０、３０、４０と、通信回線Ａを介して各電子機器を制御する制御信号及び音響信号を各電子機器に送信する音響制御装置５０とを備え、電子機器が、通信回線Ａを介して制御信号及び音響信号を入力可能な受信手段１２、２２、３２、４２と、入力した制御信号に基づいて、音響信号と他の信号とを切り替えて音響信号のみをスピーカに出力してスピーカを駆動する切替手段１３、２３、３３、４３とを備えている音響制御システム１を提供する。【選択図】    図１
2004260281.tif 000002
【特許請求の範囲】
【請求項１】
通信回線に接続されていると共に接続したスピーカから音声を単独で出力可能な複数の電子機器と、
該各電子機器を識別すると共に各電子機器を制御する制御信号及び各電子機器のスピーカに対応した音響信号を各電子機器に送信する音響制御装置とを備え、
前記電子機器が、前記通信回線を介して前記制御信号及び前記音響信号を入力可能な受信手段と、
入力した前記制御信号に基づいて、前記音響信号と他の信号とを切り替えて音響信号のみを前記スピーカに出力してスピーカを駆動する切替手段とを備えていることを特徴とする音響制御システム。
【請求項２】
請求項１に記載の音響制御システムにおいて、
前記音響信号が、サラウンド信号であることを特徴とする音響制御システム。
【請求項３】
請求項１又は２に記載の音響制御システムにおいて、
前記音響制御装置が、集音器と、
前記各電子機器に前記通信回線を介してテスト信号を送信するテスト信号送信手段と、
前記テスト信号に基づいて前記スピーカから出力されたテスト音声を前記集音器から入力し、該入力された音声信号を解析して各電子機器への前記音響信号の出力バランスを調整する補正手段とを備えていることを特徴とする音響制御システム。
【請求項４】
請求項１から３のいずれかに記載の音響制御システムにおいて、
前記通信回線が、無線通信回線であることを特徴とする音響制御システム。
【請求項５】
請求項１から２のいずれかに記載の音響制御システムにおいて、
前記通信回線が、電力線通信回線であることを特徴とする音響制御システム。
【請求項６】
請求項１から３のいずれかに記載の音響制御システムにおいて、
前記通信回線に接続された照明機器を備え、
前記音響制御装置が、前記通信回線を介して前記照明機器の照明光を変化させる照明信号を送信可能であり、
前記照明機器が、前記通信回線を介して前記照明信号を入力可能な照明信号受信手段と、
入力した前記照明信号に基づき照明光の光量及び色の少なくとも一方を変化させる光可変手段とを備えていることを特徴とする音響制御システム。
【請求項７】
接続したスピーカから音声を単独で出力可能な複数の電子機器と通信回線を介して接続されて各電子機器を識別可能であると共に各電子機器を制御する制御信号及び各電子機器のスピーカに対応した音響信号を各電子機器に送信する送信手段を備え、
少なくとも前記制御信号が、前記電子機器において前記音響信号と他の信号とを切り替えて音響信号のみを前記スピーカに出力させてスピーカを駆動させる信号であることを特徴とする音響制御装置。
【請求項８】
請求項７に記載の音響制御装置において、
集音器と、
前記各電子機器に前記通信回線を介してテスト信号を送信するテスト信号送信手段と、
該テスト信号に基づいて前記スピーカから出力されたテスト音声を前記集音器から入力し、該入力された音声信号を解析して各電子機器への前記音響信号の出力バランスを調整する補正手段とを備えていることを特徴とする音響制御装置。
【請求項９】
請求項７又は８に記載の音響制御装置において、
前記通信回線を介して接続されている照明機器の照明光を変化させる照明信号を送信可能であり、
前記照明信号が、前記照明光の光量及び色の少なくとも一方を変化させるものであることを特徴とする音響制御装置。
【請求項１０】
接続したスピーカから音声を単独で出力可能な電子機器であって、
通信回線に接続可能であると共に通信回線を介して制御信号及び音響信号を入力可能な受信手段と、
受信した前記制御信号に基づいて、前記音響信号と他の信号とを切り替えて音響信号のみを前記スピーカに出力させてスピーカを駆動する切替手段とを備えていることを特徴とする電子機器。
【請求項１１】
請求項３に記載の音響制御システムによる音響制御方法であって、
前記テスト信号送信手段により、前記各電子機器に前記テスト信号を送信して電子機器の前記スピーカから前記テスト音声を出力させるテスト音声出力工程と、
前記補正手段により、前記テスト音声を前記集音器から入力し、該入力された音声信号を解析して各電子機器への前記音響信号の出力バランスを調整する補正工程とを有することを特徴とする音響制御方法。
【発明の詳細な説明】
【０００１】
【発明の属する技術分野】
本発明は、ラジオ等の電子機器のスピーカからサラウンド効果が得られる音響を出力することができる音響制御システム、音響制御装置、電子機器及び音響制御方法に関する。
【０００２】
【従来の技術】
周知のように、自宅で映画等を鑑賞する際、臨場感のある音響を得るためにテレビ等の映像表示装置に複数のスピーカを接続したサラウンドシステムが各種提供されている。この種のサラウンドシステムの一つとして、サラウンド装置本体、５台のスピーカ及び１台の低音専用スピーカを有する５．１ｃｈサラウンドシステムが知られている。この５．１ｃｈサラウンドシステムは、例えば、受聴者の前方に３台のスピーカ及び低音専用スピーカを配置し、また、受聴者の後方に２台のスピーカをそれぞれ分散配置してサラウンド効果のある最適な音響を受聴者に提供している。
一方、従来のオーディオ機器において、高い配置自由度を有し、配置に関連して使用者にかかる負担を低減した無線オーディオ機器が知られている（例えば、特許文献１参照）。この無線オーディオ機器は、例えば、本体ユニットと専用スピーカユニットとの間で無線チャンネルを設定し、この無線チャンネルを介して本体ユニットと専用スピーカユニット間でデータ送信を行う。これにより、専用スピーカユニットをどこに配置しても、無線チャンネルで容易に音量等の各種データを送信して制御することができるので、専用スピーカユニットの配置変更等の際に使用者の負担が軽減されると共に、専用スピーカユニットの配置自由度が広がるものである。
【０００３】
【特許文献１】
特開２００１−３５９２００号公報（段落番号００１１−００８１段落、第１−１６図）
【０００４】
【発明が解決しようとする課題】
ところで、上記従来のサラウンドシステムは、室内等に複数の専用スピーカの設置が必要とされている。この専用スピーカは、より最適なサラウンド効果のある音響を受聴者に提供するために室内等の隅に分散して設置することが望まれているが、サラウンド装置本体との接続関係もあってその設置場所が制限されるのが現状である。また、スピーカは、複数個必要とされるので、その個数に応じて設置場所を確保するといった不都合があった。特に、サラウンドシステム不使用時の際、専用スピーカは他の用途に使用することが困難であるので、サラウンドシステムのためだけに複数の専用スピーカを設置するといったコストのかかるものであった。
また、特許文献１に記載のオーディオ機器では、本体ユニット及び専用スピーカユニットが無線チャンネルを介して互いに接続されている。これにより、専用スピーカユニットは、ある程度の自由度をもって配置することができるが、上述したサラウンドシステムと同様に、他の用途に使用することが困難な専用スピーカを設置するので、コストのかかるものであった。
【０００５】
この発明は、このような事情を考慮してなされたもので、その目的は、専用スピーカが不要であり、安価で且つ容易にサラウンド効果のある最適な音響を得ることができる音響制御システム、音響制御装置、電子機器及び音響制御方法を提供することである。
【０００６】
【課題を解決するための手段】
上記の目的を達成するために、この発明は以下の手段を提供している。
本発明の音響制御システムは、通信回線に接続されていると共に接続したスピーカから音声を単独で出力可能な複数の電子機器と、該各電子機器を識別すると共に各電子機器を制御する制御信号及び各電子機器のスピーカに対応した音響信号を各電子機器に送信する音響制御装置とを備え、前記電子機器が、前記通信回線を介して前記制御信号及び前記音響信号を入力可能な受信手段と、入力した前記制御信号に基づいて、前記音響信号と他の信号とを切り替えて音響信号のみを前記スピーカに出力してスピーカを駆動する切替手段とを備えていることを特徴とするものである。
また、本発明の音響制御システムは、上述した音響制御システムにおいて、音響信号がサラウンド信号であることを特徴とするものである。
また、本発明の音響制御装置は、接続したスピーカから音声を単独で出力可能な複数の電子機器と通信回線を介して接続されて各電子機器を識別可能であると共に各電子機器を制御する制御信号及び各電子機器のスピーカに対応した音響信号を各電子機器に送信する送信手段を備え、少なくとも前記制御信号が、前記電子機器において前記音響信号と他の信号とを切り替えて音響信号のみを前記スピーカに出力させてスピーカを駆動させる信号であることを特徴とするものである。
また、本発明の電子機器は、接続したスピーカから音声を単独で出力可能な電子機器であって、通信回線に接続可能であると共に通信回線を介して制御信号及び音響信号を入力可能な受信手段と、受信した前記制御信号に基づいて、前記音響信号と他の信号とを切り替えて前記音響信号のみを前記スピーカに出力させてスピーカを駆動する切替手段とを備えていることを特徴とするものである。
【０００７】
この発明に係る音響制御システム、音響制御装置及び電子機器においては、音響制御装置が、通信回線を介して各電子機器を識別するので、特定の電子機器に対して制御信号及び音響信号を送信することができる。また、各電子機器は、受信手段及び切替手段を備えているので、入力された制御信号により音響信号のスピーカへの出力が音響制御装置によって制御される。また、各電子機器は、接続したスピーカから音声を単独で出力できるので、例えばラジオのように少なくとも音響制御装置によらず単体で音声を出力でき、単独で機能すると共に音響制御システムとしても機能する。
【０００８】
つまり音響制御装置は、例えば、ラジオ、テレビジョン等の単独で少なくとも音声を出力可能な電子機器のスピーカを利用して、音響を出力させることができる。特に、音響信号がサラウンド信号である場合は、サラウンド効果のある音響を出力させることができる。これにより、従来のサラウンドシステムのように、サラウンドシステム以外に使用することが困難な専用スピーカが不要になり、普段は、例えばテレビジョン、ラジオとして使用し、必要な時にのみサラウンド効果のある音響を得ることができる。従って、専用スピーカが不要になるので、低コスト化を図ることができると共に、電子機器を有効且つ多機能的に使用することができる。また、専用スピーカが不要なので、居住スペースを有効に確保することができる。
【０００９】
本発明の音響制御システムは、先に記載の音響制御システムにおいて、前記音響制御装置が、集音器と、前記各電子機器に前記通信回線を介してテスト信号を送信するテスト信号送信手段と、前記テスト信号に基づいて前記スピーカから出力されたテスト音声を前記集音器から入力し、該入力された音声信号を解析して各電子機器への前記音響信号の出力バランスを調整する補正手段とを備えていることを特徴とするものである。
また、本発明の音響制御装置は、先に記載の音響制御装置において、集音器と、前記各電子機器に前記通信回線を介してテスト信号を送信するテスト信号送信手段と、該テスト信号に基づいて前記スピーカから出力されたテスト音声を前記集音器から入力し、該入力された音声信号を解析して各電子機器への音響信号の出力バランスを調整する補正手段とを備えていることを特徴とするものである。また、本発明の音響制御方法は、先に記載の音響制御システムによる音響制御方法であって、前記テスト信号送信手段により、前記各電子機器に前記テスト信号を送信して電子機器の前記スピーカから前記テスト音声を出力させるテスト音声出力工程と、前記補正手段により、前記テスト音声を前記集音器から入力し、該入力された音声信号を解析して各電子機器への音響信号の出力バランスを調整する補正工程とを有することを特徴とするものである。
【００１０】
この発明に係る音響制御システム、音響制御装置及び音響制御方法においては、音声出力工程と補正工程とにより、音響制御装置が、集音器により集音されたテスト音声に基づいて、各電子機器に出力バランスが調整された音響信号を出力できるので、テスト信号の受信状態によって各スピーカの位置に対応させた最適な音響を得ることができる。特に、音響信号が、サラウンド信号である場合、サラウンド効果のある音響を得ることができる。即ち、受聴者が受聴する位置に集音器を設置するだけで、各電子機器の設置数又は設置場所に応じて、受聴者の所望するサラウンドの効果のある音響を容易に得ることができる。また、各電子機器の設置場所の自由度を広げることができる。
【００１１】
本発明の音響制御システムは、先に記載の音響制御システムにおいて、前記通信回線が、無線通信回線であることを特徴とするものである。
この発明に係る音響制御システムにおいては、通信回線が無線ＬＡＮやＢｌｕｅｔｏｏｔｈ等であるので、音響制御装置と各電子機器間とをケーブル等を用いて有線接続する必要がない。従って、ケーブル等を接続する手間を省くことができると共に、ケーブル等の取り回しによる乱雑感がなくなり外観を良くすることができる。
【００１２】
本発明の音響制御システムは、先に記載の音響制御システムにおいて、前記通信回線が、電力線通信回線であることを特徴とするものである。
この発明に係る音響制御システムにおいては、通信回線が電力線通信（ＰＬＣ：Ｐｏｗｅｒ  Ｌｉｎｅ  Ｃｏｍｍｕｎｉｃａｔｉｏｎ）であるので、音響制御装置と各電子機器間とをケーブル等を用いて接続する必要がない。従って、ケーブル等を接続する手間を省くことができると共に、ケーブル等の取り回しによる乱雑感がなくなり外観を良くすることができる。
更に、既存の電力線を利用して通信するので、音響制御装置と各電子機器の間に遮蔽物等があったとしても電力線さえ接続されていれば通信を確実に行うことができる。即ち、遮蔽物等を考慮することなく、音響制御装置及び各電子機器
を設置できるので、例えば異なる部屋間での通信も可能になり、より設置場所の自由度を広げることができる。
【００１３】
本発明の音響制御システムは、先に記載の音響制御システムにおいて、前記通信回線に接続された照明機器を備え、前記音響制御装置が、前記通信回線を介して前記照明機器の照明光を変化させる照明信号を送信可能であり、前記照明機器が、前記通信回線を介して前記照明信号を入力可能な照明信号受信手段と、入力した前記照明信号に基づき照明光の光量及び色の少なくとも一方を変化させる光可変手段とを備えていることを特徴とするものである。
また、本発明の音響制御装置は、先に記載の音響制御装置において、前記通信回線を介して接続されている照明機器の照明光を変化させる照明信号を送信可能であり、前記照明信号が、前記照明光の光量及び色の少なくとも一方を変化させるものであることを特徴とするものである。
【００１４】
この発明に係る音響制御システム及び音響制御装置においては、照明機器は、音響制御装置から照明信号を受信すると、照明光の光量及び色の少なくとも一方を変化させる。これにより音響制御装置は、各電子機器のスピーカから出力する音響に合わせて、照明機器の光量を同時に制御することができる。従って、例えば、音楽に合わせて光量を暗くしたり、映画のシーンに合わせて光量を点滅させることができ、受聴者に更に臨場感のある雰囲気を提供することができる。
【００１５】
【発明の実施の形態】
以下、本発明に係る一実施形態について図１から図４を参照して説明する。図１から図４に示すサラウンドシステム１（音響制御システム）は、電力線（電灯線）通信回線Ａ（通信回線）に接続されていると共に接続（内蔵）したスピーカから音声を単独で出力可能な複数の電子機器１０、２０、３０、４０（例えば、符号１０はテレビジョン、符号２０はＭＤコンポ（ミニディスクオーディオコンポ）、符号３０はパーソナルコンピュータ、符号４０はラジオ４０）と、電力線通信回線Ａを介して各電子機器１０、２０、３０、４０を識別すると共に各電子機器１０、２０、３０、４０を制御する制御信号及び各電子機器１０、２０、３０、４０のスピーカに対応した音響信号を各電子機器１０、２０、３０、４０に送信する音響制御装置５０とを備えている。
上記電子機器１０、２０、３０、４０は、電力線通信回線Ａを介して制御信号及び音響信号を入力可能な電力線モデム（受信手段）１２、２２、３２、４２と、入力した制御信号に基づいて、音響信号と他の信号とを切り替えて音響信号のみスピーカに出力してスピーカを駆動する切替スイッチ（切替手段）１３、２３、３３、４３とを備えている。
【００１６】
また、サラウンドシステム１は、電力線通信回線Ａに接続された天井ライト（照明機器）７０を備え、音響制御装置５０が、電力線通信回線Ａを介して天井ライト７０の照明光を変化させる照明信号を送信可能とされている。上記天井ライト７０は、電力線通信回線Ａを介して照明信号を入力可能な電力線モデム７２（照明信号受信手段）と、入力した照明信号に基づき照明光の光量及び色の少なくとも一方を変化させる光可変部７３（光可変手段）とを備えている。
【００１７】
図１に示すように、音響制御装置５０、テレビジョン１０及びＭＤコンポ２０は、室内Ｂ内であって視聴者Ｃの前方に位置するように配置されており、パソコン３０及びラジオ４０は、視聴者Ｃの左右後方に位置するよう配置されている。また、室内Ｂの天井には、２台の天井ライト７０が取付けられている。
音響制御装置５０は、図２に示すようにケーシング５０ａ内部に、電力線モデム５１、再生部５２、ＣＰＵ（中央処理演算部）５３、信号送信部５４（送信手段、テスト信号送信手段）及び信号処理部５５を有している。また、ケーシング５０ａには、操作パネル５６が配設されており、この操作パネル５６にテストボタン５７、ミキシングボタン５８及び図示しない各種機能ボタンが配されている。また、信号処理部５５には、ケーブル８０を介して指向性マイク（集音器）８１が接続されている。
この音響制御装置５０は、電源ケーブル５９により室内Ｂの壁に配設されたコンセントＤを介して電力線通信回線Ａに接続されている。
【００１８】
電力線モデム５１は、電源ケーブル５９、コンセントＤ及び電力線通信回線Ａを介して、音響信号及びその他各種信号を、後述するテレビジョン１０、ＭＤコンポ２０、パソコン３０、ラジオ４０及び天井ライト７０の各電力線モデムにデータ通信すると共に、各電力線モデムとのデータ通信により各電子機器１０、２０、３０、４０及び天井ライト７０を各々識別する機能を有している。即ち、音響制御装置５０は、電力線通信回線Ａにより各電子機器１０、２０、３０、４０及び天井ライト７０に接続されている。なお、音響信号は、メイン信号とサラウンド効果のある音響を出力するためのサラウンド信号とを含むものである。
【００１９】
再生部５２は、図示しないＤＶＤ（Ｄｉｇｉｔａｌ  Ｖｅｒｓａｔｉｌｅ  Ｄｉｓｋ又はＤｉｇｉｔａｌ  Ｖｉｄｅｏ  Ｄｉｓｋ）等の映像音響再生装置から再生されたデジタルの音声データを再生し、音響信号としてＣＰＵ５３に入力する機能を有している。ＣＰＵ５３は、再生部５２から入力された音響信号と共に制御信号を信号送信部５４に送る。また、テストボタン５７が押されると、ＣＰＵ５３はテスト信号を信号送信部５４に送り、ミキシングボタン５８が押されると、ＣＰＵ５３は照明信号を信号送信部５４に送る。このようにＣＰＵ５３は、入力情報に基づいて音響信号、制御信号、テスト信号及び照明信号を適時信号送信部５４に送る機能を有している。また、信号送信部５４は、ＣＰＵ５３から送られてきた各信号を特定の電子機器、例えば、テレビジョン１０に送信する機能を有している。
【００２０】
ここで、指向性マイク８１は、各電子機器１０、２０、３０、４０のスピーカから出力されたテスト音声を集音して音声信号に変換し、ケーブル８０を介して信号処理部５５に入力する機能を有している。信号処理部５５は、指向性マイク８１から入力された音声信号を解析処理してＣＰＵ５３に出力する機能を有している。また、信号処理部５５は、ＣＰＵ５３と協働して再生部５２から入力された音響信号の出力バランスを解析結果に基づいて調整する機能も有している。即ち、これら信号処理部５５及びＣＰＵ５３は、入力された音声信号を解析して各電子機器１０、２０、３０、４０への音響信号の出力バランスを調整する補正手段６０を構成している。
【００２１】
テレビジョン１０は、図３に示すように内蔵したスピーカ１４、１５から音声を単独で出力可能な電子機器であって、ケーシング１０ａ内部に、電力線モデム１２、切替スイッチ１３及びスピーカ１４、１５を有している。また、テレビジョン１０は、電源ケーブル１６により室内Ｂの壁に配設されたコンセントＤに接続されている。これにより、電力線モデム１２は、電源ケーブル１６、コンセントＤ及び電力線通信回線Ａを介して音響制御装置５０の電力線モデム５１との間でデータ通信が可能となる。なお、テレビジョン１０に設けられている映像表示部は、図３では省略している。
【００２２】
また、電力線モデム１２は、電力線通信回線Ａを介して音響制御装置５０から送信されてきた制御信号、音響信号及びテスト信号を受信する機能も有している。切替スイッチ１３は、電力線モデム１２から制御信号が入力された際に、他の信号と音響信号とを切り替えて、音響信号のみをスピーカ１４、１５に出力して、スピーカ１４、１５を駆動する機能を有している。即ち、テレビジョン１０に対して、例えば、地上波等を介して送られてきた音声信号（他の信号）ラインを切り替えて、音響制御装置５０から送られてきた音響信号のみをスピーカ１４、１５から音声出力させる機能を有している。また、切替スイッチ１３は、電力線モデム１２からテスト信号が入力された際も同様に、スピーカ１４、１５からテスト音声として出力させる機能を有している。
【００２３】
また、図１に示すＭＤコンポ２０、パソコン３０及びラジオ４０についてもテレビジョン１０と同様に、内部にそれぞれ電力線モデム２２、３２、４２と、切替スイッチ２３、３３、４３と、スピーカ２４、３４、４４とを有している。これらＭＤコンポ２０、パソコン３０及びラジオ４０は、各電源ケーブル２５、３５、４５により室内Ｂの壁に配設されたコンセントＤを介して電力線通信回線Ａに接続されている。
【００２４】
図４に示すように、天井ライト７０は、ケーシング７０ａ内部に、電力線モデム７２、光可変部７３及び電球７４を有している。また、天井ライト７０は、電源ケーブル７５により室内Ｂの天井に配設されたコンセントＤに接続されている。これにより、電力線モデム７２は、電源ケーブル７５、コンセントＤ及び電力線通信回線Ａを介して音響制御装置５０の電力線モデム５１との間でデータ通信が可能となる。また、電力線モデム７２は、電力線通信回線Ａにより音響制御装置５０から送信されてきた照明信号を受信する機能も有している。光可変部７３は、電力線モデム７２から照明信号が入力された際に、電球７４の光量を変化させる機能を有している。
【００２５】
このように構成されたサラウンドシステム１を使用して、図示しないＤＶＤ等の映像音響再生装置における音楽又は映画等の音声を含むソフトウェアを視聴する場合、まず音響制御装置５０及びテレビジョン１０、ＭＤコンポ２０、パソコン３０、ラジオ４０の各電子機器の電源を入れる。音響制御装置５０の電源が入ると、電力線モデム１２は、電力線通信回線Ａを介して各電子機器１０、２０、３０及び４０の各電力線モデム１２、２２、３２及び４２とデータ通信を行って各々を認識すると共に、信号送信部５４から制御信号を送信する。制御信号が送信されると、各電子機器１０、２０、３０、４０の切替スイッチ１３、２３、３３、４３が切替わる。即ち、音響制御装置５０から出力される音響信号のみを、スピーカ１４、１５、２４、３４及び４４に出力するよう切替わる。
【００２６】
次いで、視聴者Ｃが視聴する位置に指向性マイク８１を設置した状態で、音響制御装置５０の操作パネル５６に配設されたテストボタン５７を押す。テストボタン５７が押されると、ＣＰＵ５３が信号送信部５４にテスト信号を送り、信号送信部５４は、電力線通信回線Ａを介してテレビジョン１０、ＭＤコンポ２０、パソコン３０、ラジオ４０にテスト信号を送信する。この際、ＣＰＵ５３及び信号送信部５４は、テスト信号を、例えばテレビジョン１０からＭＤコンポ２０、パソコン３０、ラジオ４０の順に一定時間を空けて送信する。この送信されたテスト信号は、各電子機器１０、２０、３０、４０の各スピーカ１４、１５、２４、３４及び４４からテスト音声として出力される。このテスト音声は、指向性マイク８１で順番に集音されると共に、音声信号に変換されて音響制御装置５０の信号処理部５５に入力される。
【００２７】
このテスト音声出力工程後、信号処理部５５は、入力された音声信号を解析して例えば、各スピーカ１４、１５、２４、３４及び４４から出力されたテスト音声の方向、音量、音質、指向性マイク８１までの到達時間等を解析し、指向性マイク８１の位置にて最適なサラウンド効果が得られるように各電子機器１０、２０、３０、４０に出力する音響信号の出力値を記憶する。なお、この際、例えば視聴者Ｃの前方に配置されているテレビジョン１０及びＭＤコンポ２０には、メイン信号を送るよう設定し、視聴者Ｃの左右後方に配置されているパソコン３０及びラジオ４０には、サラウンド効果のあるサラウンド信号を送るように予め設定する。次いで、テストが終了したことを操作パネル５６の図示しない表示にその旨を表示して視聴者Ｃに知らせる。
【００２８】
次いで、視聴者Ｃは、ＤＶＤ等の映像音響再生装置によりクラシック音楽ビデオ等のソフトウェアを再生する。この再生された音声信号は、音響制御装置５０の再生部５２を介してＣＰＵ５３に入力されると共に、上述で記憶した音響信号の出力値になるよう出力バランスが調整される。この補正工程が終了した後、信号送信部５４から電力線通信回線Ａを介して各電子機器１０、２０、３０、４０に音響信号が送信される。即ち、テレビジョン１０及びＭＤコンポ２０のスピーカ１４、１５、２４にはメイン信号が送られ、パソコン３０及びラジオ４０のスピーカ３４、４４にはサラウンド信号が送られる。これにより視聴者Ｃは、視聴する位置において、前方に位置するスピーカ１４、１５、２４から出力される音響と、後方に位置するスピーカ３４、４４から出力される音響とで、例えば出力する音量、音質、タイミング等が変化したサラウンド効果のある音響でクラシック音楽等を聴くことができる。
【００２９】
また、ＤＶＤ等の映像音響再生装置における音楽ビデオ又は映画ビデオ等の音声を含むソフトウェアが、音楽に合わせて照明光を調整する信号を含んでいる場合には、音響制御装置５０の操作パネル５６に配設されたミキシングボタン５８を押すと、ＣＰＵ５３はサラウンド信号に対応した照明信号を信号送信部５４に送り、信号送信部５４は、天井ライト７０に照明信号を送信する。照明信号が送信されると、天井ライト７０の電力線モデム７２が受信して光可変部７３が作動する。光可変部７３は、音響制御装置５０から送られてくる照明信号に基づいて電球７４の光量を変化させる。これにより、視聴者Ｃは、クラシック音楽をサラウンド効果のある音響で聞きながら、例えば、音楽に合わせて部屋Ｂのライトが暗くなったり、明るくなったりしてより雰囲気のある環境で音楽を楽しむことができる。
【００３０】
更に、音響制御装置５０の操作パネル５６に配設された図示しないモード選択スイッチを操作して、ＣＰＵ５３にてサラウンド信号の出力バランスを更に調整させることにより、例えばコンサートモードを選択した場合、視聴者Ｃはテレビジョン１０、ＭＤコンポ２０、パソコン３０、ラジオ４０の各電子機器からコンサートホールにいるような、より最適なサラウンド効果のある音響でクラシック音楽等を聴くことができる。また、ＤＶＤ等の映像音響再生装置により映画ビデオ等のソフトウェアを再生し、モード選択スイッチ等で例えば、映画モードを選択すれば、臨場感のある音響で楽しむことができると共に、映画シーンに合わせて天井ライト７０が点滅したり、暗くなったりすることができるので、視覚的にも楽しむことができる。
【００３１】
また、サラウンドシステム１の不使用時は、音響制御装置５０の電源を落とすことにより、信号送信部５４から送信されていた制御信号が遮断されるので、各電子機器１０、２０、３０、４０の各切替スイッチ１３、２３、３３、４３が元の位置に切替わる。これにより、各々テレビジョン１０、ＭＤコンポ２０、パソコン３０、ラジオ４０として単独で使用することができる。
【００３２】
このサラウンドシステム１によれば、電力線通信回線Ａを介して、接続（内臓）したスピーカにより単独で音声を出力可能な各電子機器１０、２０、３０、４０を利用して、サラウンド効果のある音響を出力させることができる。これにより、テレビジョン１０等を多機能的に且つ経済的に使用できるので、サラウンド専用のスピーカが不要になり、低コストでサラウンド効果のある音響システムを得ることができる。また、サラウンド専用スピーカが不要なので、室内Ｂの居住スペースを有効に確保することができると共に、乱雑感を与えずに室内Ｂの外観を良くすることができる。
【００３３】
また、指向性マイク８１を使用したテスト音声により、容易に最適なサラウンド効果のある音響に設定することができるので、例えば、テレビジョン１０、ＭＤコンポ２０等の配置換えを行ったとしても、容易にサラウンド効果のある音響に再度設定することができる。従って、各電子機器１０、２０、３０、４０の設置場所の自由度を広げることができる。
また、音響制御装置５０及び各電子機器１０、２０、３０、４０は、電力線通信回線Ａを介して接続されているので、ケーブル等で接続する手間を省くことができると共に、ケーブル等の取り回しによる乱雑感がなくなることからも室内Ｂの外観を良くすることができる。更に、電力線通信回線Ａを利用した通信であるので、遮蔽物に影響を受けることなく確実に通信させることができる。
【００３４】
なお、本発明の技術分野は、上記実施の形態に限定されるものではなく、本発明の趣旨を逸脱しない範囲において種々の変更を加えることが可能である。
本実施形態では、電子機器として、テレビジョン、ＭＤコンポ、パソコン及びラジオとしたが、これに限られるものではなく、接続したスピーカから音声を単独で出力可能な電子機器であれば良いし、電子機器は少なくとも１台あれば良い。
また、各電子機器のスピーカを利用して、視聴者の前方に３台のスピーカを配置し、視聴者の後方に２台のスピーカを配置すると共に、後方の２台のスピーカにはサラウンド信号を送って、５．１ｃｈサラウンドシステムのような構成としたが、この構成に限られるものではなく、スピーカに音響信号を送る構成とされていれば良い。
また、通信回線として電力線（電灯線）通信回線を利用したが、無線通信回線を利用した通信としても構わない。例えば、無線ＬＡＮやＢｌｕｅｔｏｏｔｈ等で通信しても良い。この場合、音響制御装置及び各電子機器に、専用のモデム、送受信アンテナ等を備える構成にすれば良い。また、赤外線等を利用した無線通信回線でも良い。
更に、ＤＶＤ等の映像音響再生装置を利用して音声を再生したが、例えば、電力線通信回線に接続されているパソコンを使用してインターネットに接続し、音楽等をダウンロードしても良い。この場合、電力線通信回線を介して音響制御装置にデータ送信して音響信号に再生すれば良い。
【００３５】
【発明の効果】
以上説明したように、本発明の音響制御システム、音響制御装置及び電子機器においては、音響制御装置が、例えば、ラジオ、テレビジョン等の単独で少なくとも音声を出力可能な電子機器のスピーカを利用して、音響効果のある音を出力させることができる。これにより、従来のサラウンドシステムのように、サラウンドシステム以外に使用することが困難な専用スピーカが不要になり、普段は、例えばテレビジョン、ラジオとして使用し、必要な時にのみサラウンド効果のある音響を得ることができる。従って、専用スピーカが不要になるので、低コスト化を図ることができると共に、電子機器を有効且つ多機能的に使用することができる。また、専用スピーカが不要となるので、居住スペースを有効に確保することができる。
【００３６】
本発明の音響制御方法においては、受聴者が受聴する位置に集音器を設置するだけで、容易にサラウンド効果のある音響を得ることができる。つまり、各電子機器の設置数又は設置場所に影響されずに、視聴者の所望するサラウンドの効果のある音響を容易に得ることができると共に、各電子機器の設置場所の自由度を広げることができる。
【図面の簡単な説明】
【図１】本発明に係る一実施形態のサラウンドシステムを示す室内設置図である。
【図２】本発明に係る一実施形態のサラウンドシステムにおける音響制御装置を示す構成図である。
【図３】本発明に係る一実施形態のサラウンドシステムおけるテレビジョンを示す構成図である。
【図４】本発明に係る一実施形態のサラウンドシステムおける天井ライトを示す構成図である。
【符号の説明】
Ａ    電力線通信回線（通信回線）
１    サラウンドシステム（音響制御システム）
１０    テレビジョン（電子機器）
１２、２２、３２、４２    電力線モデム（受信手段）
１３、２３、３３，４３    切替スイッチ（切替手段）
２０    ＭＤコンポ（電子機器）
３０    パソコン（電子機器）
４０    ラジオ（電子機器）
５０    音響制御装置
５４    信号送信部（送信手段、テスト信号送信手段）
６０    補正手段
７０    天井ライト（照明機器）
７２    電力線モデム（照明信号受信手段）
７３    光可変部（光可変手段）
８１    指向性マイク（集音器）
【図１】
2004260281.tif 000003
【図２】
2004260281.tif 000004
【図３】
2004260281.tif 000005
【図４】
2004260281.tif 000006